(57)【特許請求の範囲】
【請求項１】
表示装置上にタッチパネルを積層してなるタッチスクリーンを有したタッチパネル表示装置と、
前記タッチパネル上の押下位置を検出する押下位置検出手段と、
電子式ビューファインダー装置と、
前記タッチパネルの押下位置を指し示すマーク表示を制御するマーカー制御手段と、
前記電子式ビューファインダー装置が使用状態か否かを検出する電子式ビューファインダー使用状態検出手段と、
前記押下位置検出手段と前記電子式ビューファインダー使用状態検出手段の出力により前記マーカー制御手段を制御する条件判断手段と
を備え、
前記電子式ビューファインダー使用状態検出手段によって前記電子式ビューファインダーが使用状態であることが検出されたとき、前記条件判断手段は、前記マーカー制御手段を制御し前記電子式ビューファインダー装置上に前記タッチパネル上の押下位置を指し示すマークを重畳表示するよう制御し、
前記電子式ビューファインダー使用状態検出手段によって前記電子式ビューファインダーが使用状態ではないことが検出されたとき、前記条件判断手段は、前記マーカー制御手段を制御し前記タッチパネル表示装置上に前記タッチパネル上の押下位置を指し示すマークの表示、及び前記電子式ビューファインダー装置上に前記タッチパネル上の押下位置を指し示すマークの表示をしないよう抑制することを特徴とするカメラ一体型映像記録再生装置。
【発明の詳細な説明】
【０００１】
【発明の属する技術分野】
本発明は、カメラ一体型映像記録再生装置またはタッチパネル入力装置に関するものである。
【０００２】
【従来の技術】
タッチパネル操作によるカーソル制御装置に関し、以下のような従来例がある。
【０００３】
例えば、特開平６−４２０２号公報によれば、利用者の操作により、ディスプレイ画面上のカーソル移動操作が可能な技術が記載されている。この技術は、ディスプレイとタッチパネル入力デバイスを分離して、コンピュータの入力デバイスの一つであるいわゆるマウスと同じ働きをタッチパネル操作で行い、カーソルを制御するものである。
【０００４】
【発明が解決しようとする課題】
しかしながら、上述の装置のように、タッチパネル自体がディスプレイから離れていて、カーソルの遠隔操作を目的とした装置では、カメラ一体型映像記録再生装置などの撮影装置では、搭載するのに不向きである。
【０００５】
またカーソルは表示されたままであり、電子式ビューファインダー（以下ＥＶＦ）の使用状態によって表示するか否かを自動的に切り換えられないという問題を有している。
【０００６】
本発明は、そのような状況に鑑みてなされたもので、タッチパネル操作が可能な、LCD（液晶表示素子）と一体となったタッチパネル、及びＥＶＦを具備したカメラ一体型映像記録再生装置等において、ＥＶＦを覗き込んだままタッチパネル操作を可能にするために、タッチ位置を示すマーカー表示をＥＶＦ画面内に表示し、また前記マーカー表示は、ＥＶＦを使用する状態の時のみ表示を行い、ＥＶＦを使用していない状態では表示しないように、表示するか否かを自動的に切り換える機能を備えるものである。
【０００７】
【課題を解決するための手段】
本発明は、表示装置上にタッチパネルを積層してなるタッチスクリーンを有したタッチパネル表示装置と、前記タッチパネル上の押下位置を検出する押下位置検出手段と、電子式ビューファインダー装置と、前記タッチパネルの押下位置を指し示すマーク表示を制御するマーカー制御手段と、前記電子式ビューファインダー装置が使用状態か否かを検出する電子式ビューファインダー使用状態検出手段と、前記押下位置検出手段と前記電子式ビューファインダー使用状態検出手段の出力により前記マーカー制御手段を制御する条件判断手段とを備え、前記電子式ビューファインダー使用状態検出手段によって前記電子式ビューファインダーが使用状態であることが検出されたとき、前記条件判断手段は、前記マーカー制御手段を制御し前記電子式ビューファインダー装置上に前記タッチパネル上の押下位置を指し示すマークを重畳表示するよう制御し、前記電子式ビューファインダー使用状態検出手段によって前記電子式ビューファインダーが使用状態ではないことが検出されたとき、前記条件判断手段は、前記マーカー制御手段を制御し前記タッチパネル表示装置上に前記タッチパネル上の押下位置を指し示すマークの表示、及び前記電子式ビューファインダー装置上に前記タッチパネル上の押下位置を指し示すマークの表示をしないよう抑制することを特徴とするカメラ一体型映像記録再生装置である。
【００１１】
【発明の実施の形態】
本発明によるタッチパネル表示装置を具備したカメラ一体型情報記憶再生装置の実施形態の一例を図１乃至図５に基づいて以下に説明する。
【００１２】
図１は、本発明によるタッチパネル表示装置のシステムブロック図である。
【００１３】
１は、ペンや指で任意の図形を手書き入力したり、ＬＣＤ２上に表示される操作ボタン表示をタッチしたことを検出するための透明電極で作られたタッチパネルで、ＬＣＤ２に積層されている。ＬＣＤ２はビデオカメラで撮影されている映像やビデオ入力された画像を表示することはもとより、操作ボタン表示など操作に必要なグラフィックキャラクタなどを表示する。
【００１４】
３はＬＣＤ２と同様に、ビデオカメラで撮影されている映像やビデオ入力された画像を表示することはもとより、操作ボタン表示など操作に必要なグラフィックキャラクタなどを表示するためのＥＶＦ部（電子式ビューファインダー装置）である。ＥＶＦ部３は主にＬＣＤ２の映像を見ずに撮影する際に使用される。
【００１５】
４はタッチパネル１やＬＣＤ２及びＥＶＦ部３を制御するための制御マイコンである。
【００１６】
５はＥＶＦ部３が使用状態かどうかを検出する検出部で、検出出力は制御マイコン４に入力される。使用状態か否かを判断する方法は、例えば、タッチパネル１がカメラ一体型映像記録再生装置本体に対してどのような向きに収納されているかによって、その状態をタッチパネル格納部分に具備されているスイッチによって検出することにより行う。
【００１７】
タッチパネル格納形態については後述の図２、図３で詳細説明を行う。
【００１８】
６はＬＣＤ２及びＥＶＦ３で表示される映像信号に、操作ボタン表示など操作に必要なグラフィックキャラクタなどを重畳するためのＯＳＤ ＬＳＩ（オンスクリーンキャラクターディスプレイ用ＬＳＩ）であり、制御マイコン４により適切な表示を出力するために制御させる。
【００１９】
７はＯＳＤ ＬＳＩで使用されるキャラクタを格納したキャラクタＲＯＭ（リードオンリーメモリー）である。本実施例では、押下位置を指し示すマーク表示としては、「指」の形をしたグラフィックを格納している。
【００２０】
また、制御マイコン４において、４−１はタッチパネル１でタッチされた位置を検出する押下位置情報検出部、４−２はタッチパネル１でタッチされた位置とＥＶＦ使用検出部からの情報を判断して、適切な表示制御を行う条件判断部、４−３は押下位置を指し示すマーク表示を制御するためのマーカー制御部、４−４は操作ボタン表示など操作に必要なグラフィックキャラクタなどを制御するための表示キャラクタ制御部である。
【００２１】
以下、制御マイコン４の動作を中心に説明する。タッチパネル１の入力領域をペンや指でタッチすると、そのタッチポイントは抵抗値の変化として、制御マイコン４に入力され、その入力値を押下位置検出部４−１で、具体的なＸ，Ｙ座標値として解析する。これらタッチ検出状況は、逐次条件判断部４−２に送られ、またＥＶＦ使用検出部５からもＥＶＦ部３を使用しているか否かの検出状況が逐次条件判断部４−２に送られる。
【００２２】
ＥＶＦ部３の使用状況であれば、押下位置を指し示すマーク表示をＬＣＤ２及びＥＶＦ部３に表示出力するために、タッチした座標に例えば指マークなどのマーカーを重畳させるために、マーカー制御部４−３からＯＳＤＬＳＩ６に表示指示を与える。 ＯＳＤＬＳＩ６は表示に必要なキャラクタをキャラクタＲＯＭ７から読み出して、ＬＣＤ２及びＥＶＦ部３に重畳表示する。
【００２３】
また、タッチされた場所に操作ボタン表示がある場合には操作ボタン表示を変化させるために、表示キャラクタ制御部４−４はＯＳＤＬＳＩ６に指示を与えて、キャラクタＲＯＭ７から表示すべきグラフィックやキャラクタを取り出し、ＬＣＤ２及びＥＶＦ部３に重畳する操作ボタン表示を更新する。
【００２４】
これにより、撮影者がＥＶＦ部３を覗き込んだままでも、タッチパネル操作位置をＥＶＦ部３上でマーカー表示により確認することができ、タッチパネル操作をするための操作ボタン表示を押すことが可能となる。
【００２５】
また、ＥＶＦ使用検出部５がＥＶＦ部３を使用していない状態であることを検出した場合の条件判断部４−２は、押下位置を指し示すマーク表示をＬＣＤ２及びＥＶＦ制御部３に表示出力しないために、マーカー制御部４−３を抑制する。
【００２６】
図２は、本発明の使用状態例を示すものであり、同図（ａ）はＥＶＦ部を使用していない状態、同図（ｂ）はＥＶＦ部を使用している状態を示している。
【００２７】
図２において、１１は、図１のタッチパネル１とＬＣＤ２を積層したＬＣＤ部である。１２は、被写体を撮影するカメラレンズを有するカメラ部である。カメラ部１２で撮影された映像信号は、ＬＣＤ部１１及び前述したＥＶＦ部３に表示される。
【００２８】
図２（ａ）において、ＬＣＤ部１１はカメラ部１２の光軸と反対向き、すなわち撮影されている被写体を撮影者側に見せる方向を向いているため、撮影状況はＬＣＤ部１１で確認できるため、ＥＶＦ部３はあえて使用する必要なく、ＥＶＦを使用していない形態である。
【００２９】
それに対して図２（ｂ）は、ＬＣＤ部１１を黒矢印の方向に回転させてＬＣＤ面を被写体側に向けると共に、本体側にＬＣＤ部１１を折りたたむことにより、カメラ一体型映像記録再生装置本体の側面に収納した形態である。この場合、ＬＥＤ部１１は撮影されている被写体を撮影者側に見せる方向を向いていないため、撮影状況はＬＣＤ部１１ではなく、ＥＶＦ部３で撮影状況を確認することになり、ＥＶＦを使用する形態である。
【００３０】
この形態の検出は、例えば、ＬＣＤ部１１の収納状態及び開いた状態を、カメラ一体型映像記録再生装置本体とＬＣＤ部１１を繋ぐ回転機構の中の回転角度を検出すること等により判断することができる。あるいは、ＥＶＦ部３の覗き口に光電式、静電式、機械式等の人体検出スイッチ設け、これにより撮影者の顔が近づいたかどうかを検出してＥＶＡ部３の使用状態を検出するなど、種々の構成が可能である。
【００３１】
図３は、タッチパネル操作時のＥＶＦ表示例を示している。図３において、３ＡはＥＶＦ部３に映し出されているモニタ状況を拡大表示したものである。２１はＥＶＦ部３で表示されたタッチパネルの操作位置を示すマーカーである。
【００３２】
図３は、撮影者２３が本例のカメラ一体型映像記録再生装置をＥＶＦ部３を使用状態（図２（ｂ）の状態）にして撮影している場面であり、ＥＶＦ部３を覗き込みながら、右手でカメラ一体型映像記録再生装置本体を支え、左手でＬＣＤ部１１のタッチパネル操作を行っている。この際に撮影者２３がタッチパネルのどの位置を操作しているかは、ＥＶＦ部３に映し出されているモニタ状況３Ａに示すように、タッチパネル操作位置を示したマーカー表示２１として指の形をしたグラフィックをリアルタイムに表示することにより、撮影者２３はＥＶＦ部３から目を離さなくても的確にタッチパネル操作を行うことができる。
【００３３】
図４は、ＬＣＤ部１１及びＥＶＦ部３における更に詳細な表示例を示している。
【００３４】
図４において、２４はタッチパネル操作をするための操作ボタン表示であり、図１の表示キャラクタ制御部４−４がＯＳＤＬＳＩ６に指示を与えてキャラクタＲＯＭ７から表示すべきグラフィックやキャラクタを取り出し、ＬＣＤ２及びＥＶＦ部３に重畳する操作ボタン表示の一例である。２１は図３で説明したマーカー表示２１と同一のタッチパネル操作位置を示したマーカー表示である。
【００３５】
表示画面上には、操作ボタン表示２４をはじめとして、撮影する際に必要な情報である、バッテリー残量表示、テープ残量表示、撮影モード表示など、各種表示も出力されている。
【００３６】
図４（ａ）はＥＶＦ部３を使用しない場合(図２（ａ）参照)の表示例であり、この場合、撮影者は図２，図３に図示のＬＣＤ部１１上のタッチパネルを直接ペンや指でタッチして操作するのが基本的な操作方法であり、主に操作ボタン表示２４の表示領域をタッチすることにより各種機能が動作する。 図４（ａ）では、左上の操作ボタン表示「プログレッシブ」が押されて、操作ボタン表示の色が変化している様子を示す。すなわち、このとき、図１の条件判断部４−２はＥＶＦ部３が使用状態でないことを判断して、ＬＣＤ部１１上のタッチパネルが操作されても、ＬＣＤ部１１及びＥＶＦ部３の表示画面上でマーカー２１が表示されるのが抑制される。
【００３７】
図４（ｂ）はＥＶＦ部３を使用する場合（図２（ｂ），図３参照）の表示例であり、この場合、撮影者はＥＶＦ部３を覗き込んでいる状態なので、図３のようにＬＣＤ部１１上のタッチパネルを手探り状態で指でタッチして操作するのが基本的な操作方法である。この際、図１の条件判断部４−２により、ＬＥＤ部１１及びＥＶＦ部３上の表示画面にタッチパネルをタッチしている位置がマーカー２３によりを重畳表示されるので、ＥＶＦ部３を覗き込みながらでもタッチ位置を確認できる。なお、図４（ｂ）でも、左上の操作ボタン表示「プログレッシブ」が押されて、操作ボタン表示の色が変化している様子を示している。
【００３８】
このようにタッチパネル操作を手探りで行った場合でも、マーカー表示２１の表示位置によって的確にタッチパネルを操作することができる。
【００３９】
上記では、４−２はＥＶＦ部３が使用状態でないことを判断して、ＬＣＤ部１１及びＥＶＦ部３の表示画面上でマーカー２１が表示されるのを抑制し、また、ＥＶＦ部３を使用していると判断したときは、ＬＥＤ部１１及びＥＶＦ部３上の表示画面にタッチパネルをタッチしている位置をマーカー２１によりを重畳表示するようにした。
【００４０】
しかし、ＥＶＦ部３を使用しない場合に少なくともＬＣＤ部１１の表示画面上でのマーカー２１表示を抑制し、ＥＶＦ部３を使用する場合は少なくともＥＶＦ部３上でマーカー２１を表示することにより、上述で説明した基本的な操作は行え、操作には何ら支障をきたさない。したがって、ＥＶＦ部３とＬＥＤ部１１を独立して制御し得る構成として、ＥＶＦ部３を使用しない場合は少なくともＬＣＤ部１１の表示画面上でのマーカー２１の表示を抑制し、またＥＶＦ部３を使用する場合は少なくともＥＶＦ部３の画面上でマーカー２１を表示するようにしてもよい。
【００４１】
図５は、本例の動作フローチャートである。
【００４２】
この動作フローチャートは、図１の制御マイコン４の動作を示す。
【００４３】
ステップ１は表示動作開始で、ステップ２により図１のＥＶＦ使用検出部５からの検出情報に基づきＥＶＦ部３の使用状態を判断する。もしＥＶＦ部３の使用状態でなければ、次のステップ３は実行せずにステップ４に向かう。
【００４４】
ステップ３はＥＶＦ部３の使用状態を判断されたとき処理であり、タッチパネル押下位置情報に対応したマーカー表示２１をＥＶＦ部３に表示する。
【００４５】
ステップ４は操作ボタン２４の表示などの各種表示処理を行う処理であり、ステップ５にて一連の動作は終了し、またステップ１から開始する。
【００４６】
以上の実施例はカメラ一体型映像記録再生装置に適用したものについて説明したが、表示装置上にタッチパネルを積層してなるタッチスクリーンを有したタッチパネル表示装置と、第２の表示装置(例えば、上の実施例におけるカメラ一体型映像記録再生装置で言えばＥＶＦ部３の表示装置に相当など)を備え、第２の表示装置を見ながら前記タッチパネルを操作して入力することできるタッチパネル入力装置として構成できることはもちろんである。
【００４７】
【発明の効果】
以上のように本発明によれば、表示装置上にタッチパネルを積層してなるタッチスクリーンを有したタッチパネル表示装置以外に第２の表示装置を備えるものであって、タッチ入力操作が容易に行えるカメラ一体型映像記録再生装置、タッチパネル入力装置が提供できる。
【図面の簡単な説明】
【図１】本発明の一実施例を示すシステムブロック図である。
【図２】一実施例装置の使用例を説明する斜視図である。
【図３】操作例を説明する図である。
【図４】表示例を説明する図である。
【図５】動作フローチャートである。
【符号の説明】
１  タッチパネル
２  ＬＣＤ
３  ＥＶＦ部
４  制御マイコン
４−１  押下位置情報検出部
４−２  条件判断部
４−３  マーカー制御部
４−４  表示キャラクタ制御部
５  ＥＶＦ使用状態検出部
６  ＯＳＤ ＬＳＩ
７  キャラクタＲＯＭ
１１  ＬＣＤ部
２１  マーカー表示
【図１】
0003730086.tif 000002
【図２】
0003730086.tif 000003
【図３】
0003730086.tif 000004
【図４】
0003730086.tif 000005
【図５】
0003730086.tif 000006